(57)【要約】【課題】マスク本体に設けてある取付孔に皮革で形成されている係合保持部材を取り付け、この取り付けた係合保持部材に紐を挿通させるようにしたことで、取付孔のエッジに直接紐があたることを無くした防顔面を提供する。【解決手段】防顔面は、視認可能に顔面を覆うマスク本体と、該マスク本体の上部に一端が取り付けられた頭部上部を通る上部紐部材の他端と、前記マスク本体の左右に両端が取り付けられた頭部後方を通る後方紐部材の途中部分とが、頭部後方で連結された頭部取付け部材と、前記マスク本体の左右に両端が連結された顎掛け紐部材と、を備え、前記マスク本体の外周寄りに設けた取付孔に、皮革で形成された係合保持部材を取り付け、該係合保持部材に前記上部紐部材の紐、前記頭部取付け部材の紐、前記顎掛け紐部材の紐を挿通させるようにしたことであり、前記皮革で形成された係合保持部材は、前記顎掛け紐部材の紐を挿通させるための取付孔に取り付けたことである。【選択図】      図１
0003152604.tif 000002
【実用新案登録請求の範囲】
【請求項１】
視認可能に顔面を覆うマスク本体と、
該マスク本体の上部に一端が取り付けられた頭部上部を通る上部紐部材の他端と、前記マスク本体の左右に両端が取り付けられた頭部後方を通る後方紐部材の途中部分とが、頭部後方で連結された頭部取付け部材と、
前記マスク本体の左右に両端が連結された顎掛け紐部材と、
を備え、
前記マスク本体の外周寄りに設けた取付孔に、皮革で形成された係合保持部材を取り付け、
該係合保持部材に前記上部紐部材の紐、前記頭部取付け部材の紐、前記顎掛け紐部材の紐を挿通させるようにしたことを特徴とする防顔面。
【請求項２】
前記皮革で形成された係合保持部材は、前記顎掛け紐部材の紐を挿通させるための取付孔に取り付けたことを特徴とする請求項１に記載の防顔面。
【考案の詳細な説明】
【技術分野】
【０００１】
本考案は、防顔面に関し、詳しくは逮捕術防具における防顔面に関する。
【背景技術】
【０００２】
従来の防顔面は、図４乃至図７に示すように、視認可能に顔面を覆うマスク本体２と、マスク本体２を頭部に取付けるための頭部取付け部材５と、マスク本体２の左右に両端が連結された顎掛け部材６とから構成されている。
【０００３】
マスク本体２は、例えば合成樹脂製のもので、人間の顔面に対応する形状に形成されていて、目と鼻に相当する箇所に開口２ａ、２ｂが設けられている。また、マスク本体２の上部と左右の上下との５箇所に取付孔２ｃ、２ｄ、２ｅ、２ｆ、２ｇが形成されている。
【０００４】
取付孔２ｃは上部に、取付孔２ｄは左上部に、取付孔２ｅは左下部に、取付孔２ｆは右上部に、取付孔２ｇは右下部に形成されている。
また、マスク本体２の背面には、目の位置に相当する箇所の開口２ａの上側、鼻の位置に相当する箇所の開口２ｂの下側には、例えば軟質のパッド２ｈ、２ｉが貼着されている。
尚、左側とはマスク本体２の背面側からみた状態で左側の方向をいい、右側とはマスク本体２の背面側からみた状態で右側をいう。
【０００５】
頭部取付け部材５は、マスク本体２の上部に一端が取付けられた頭部上部を通る上部紐部材３と、マスク本体２の左右に両端が取付けられた頭部後方を通る後方紐部材４とが、頭部後方で連結された構成となっている。
【０００６】
後方紐部材４は、上下２本の紐４ａ、４ｂを有し、上側の紐４ａの両端は上側の取付孔２ｄと取付孔２ｆに連結され、下側の紐４ｂの両端は下側の取付孔２ｅと取付孔２ｇに連結されている。
【０００７】
上側の紐４ａの両側はそれぞれ、マスク本体２の背面側の内側から外側へ向けて取付孔２ｄと２ｆに通され、通り抜けた部分を後ろ側に折り返して紐４ａの途中部分と対向するように重ね、相互に対向する部分の内面両側に設けた面ファスナー１０の係止部と被係止部とを係止させることで、マスク本体２に連結される。
【０００８】
下側の紐４ｂの両側も同様に、マスク本体２の背面側の内側から外側へ向けて取付孔２ｅと２ｇに通され、通り抜けた部分を後ろ側に折り返して紐４ｂの途中部分と対向するように重ね、相互に対向する部分の内面両側に設けた面ファスナー１１の係止部と被係止部とを係止させることで、マスク本体２に連結される。
【０００９】
下側の紐４ｂは、右下側の取付孔２ｇから外側に突出させて折り返した端部の外面に面ファスナー１２の係止部及び被係止部の一方が取り付けられ、左下側の取付孔２ｅから外側に突出させて折り返した端部の外面に面ファスナー１３の係止部及び被係止部の一方が取り付けられている。
【００１０】
上側の紐４ａと下側の紐４ｂには、これらを一定距離に保持する頭部後方保護部材２０と右耳保護部材２１と左耳保護部材２２とが取り付けられている。
【００１１】
頭部後方保護部材２０は、例えば２枚の山形状シート２０ａを縫製したもので、両シート２０ａの間に上側の紐４ａの途中を通した状態で上側の紐４ａが縫製により固定されている。
一方、下側の紐４ｂは、外側のシート２０ａの左右２箇所に設けた通し孔２０ｂを通されていて、頭部後方保護部材２０の下部が若干左右に移動できるようになっている。
【００１２】
右耳保護部材２１は、図７に示すように、右耳の全体を覆うように形成されていて、右耳が入る凹部２１ｂが形成された、例えば合成樹脂製の軟質のパッド２１ａを有し、内側の凹部２１ｂを挟んで上下に設けられた紐挿通部２１ｃ、２１ｄに紐４ａ、４ｂを通して取り付けられている。また、凹部２１ｂを除く全体が、例えば合成皮革にて覆われており、凹部２１ｂには内外方向に聴音用の貫通孔２１ｅが形成されている。
【００１３】
左耳保護部材２２も右耳保護部材２１と同様に構成されている。即ち、左耳の全体を覆うように形成されていて、左耳が入る凹部２２ｂが形成された、例えば合成樹脂製の軟質のパッド２２ａを有し、内側の凹部２２ｂを挟んで上下に設けられた紐挿通部２２ｃ、２２ｄに紐４ａ、４ｂを通して取り付けられている。また、凹部２２ｂを除く全体が、例えば合成皮革にて覆われており、凹部２２ｂには内外方向に聴音用の貫通孔２２ｅが形成されている。
【００１４】
マスク本体２の上部に形成した取付孔２ｃには、前記上部紐部材３の一端が連結され、その他端は前記頭部後方保護部材２０の両シート２０ａの間に縫製されて固定されている。上部紐部材３の一連の連結状態は、マスク本体２の背面側の内側から外側へ向けて取付孔２ｃに通され、通り抜け部分を後側に折り返して上部紐部材３の途中部分と対向するように重ね、相互に対向する部分の内面両側に設けた面ファスナー１４の係止部と被係止部とを係止させるようになっている。
【００１５】
顎掛け紐部材６の左端６ｂは、マスク本体２の背面側の内側から外側へ向けて取付孔２ｅに通され、通り抜け部分を後ろ側に折り返して、面ファスナー１３の係止部及び被係止部の一方と対向するように重ね、相互に対向する部分の内面側には、面ファスナー１３の係止部及び被係止部の他方が設けられ、これら面ファスナー１３の係止部と被係止部とを係止させることで、マスク本体２に連結される。
【００１６】
顎掛け紐部材６の右端６ａは、図６に示すように、左右対称にしてマスク本体２に連結されている。即ち、右端６ａは、マスク本体２の背面側の内側から外側へ向けて取付孔２ｇに通され、通り抜けた部分を後ろ側に折り返して、面ファスナー１２の係止部及び被係止部の一方と対向するように重ね、相互に対向する部分の内面側には、面ファスナー１２の係止部及び被係止部の他方が設けられ、これら面ファスナー１２の係止部と被係止部とを係止させることで、マスク本体２に連結される。
【先行技術文献】
【非特許文献】
【００１７】
【非特許文献１】実用新案登録第３１１１８１３号公報
【考案の概要】
【考案が解決しようとする課題】
【００１８】
しかしながら、従来技術で説明した防顔面においては、特に顎掛け紐部材６を通す取付孔２ｅにおいては、取付孔２ｅに顎掛け紐部材６の紐の部分を直接通すために取付孔２ｅのエッジに当り紐の部分が磨耗し、或いは損傷して最悪の場合切断してしまうという問題がある。
これは、取付孔２ｅのみに関わらず、その他の取付孔２ｃ、２ｄ、２ｆ、２ｇでも同様に、紐を直接に通すために、外部からの衝撃等で取付孔のエッジに擦れて破損してしまうという問題がある。
【００１９】
従って、防顔面において、取付孔に直接通す紐部材の構造を改良して、取付孔のエッジに接触しても容易に破損しない構造に解決しなければならない課題を有する。
【課題を解決するための手段】
【００２０】
上記課題を解決するために、本考案に係る防顔面は、次に示す構成にすることである。
【００２１】
（１）防顔面は、視認可能に顔面を覆うマスク本体と、該マスク本体の上部に一端が取り付けられた頭部上部を通る上部紐部材の他端と、前記マスク本体の左右に両端が取り付けられた頭部後方を通る後方紐部材の途中部分とが、頭部後方で連結された頭部取付け部材と、前記マスク本体の左右に両端が連結された顎掛け紐部材と、を備え、前記マスク本体の外周寄りに設けた取付孔に、皮革で形成された係合保持部材を取り付け、該係合保持部材に前記上部紐部材の紐、前記頭部取付け部材の紐、前記顎掛け紐部材の紐を挿通させるようにしたことである。
（２）前記皮革で形成された係合保持部材は、前記顎掛け紐部材の紐を挿通させるための取付孔に取り付けたことを特徴とする（１）に記載の防顔面。
【考案の効果】
【００２２】
以上、説明したように、本考案に係る防顔面は、マスク本体に設けてある取付孔に皮革で形成されている係合保持部材を取り付け、この取り付けた係合保持部材に紐を挿通させるようにしたことで、取付孔のエッジに直接紐があたることがなくなり、その分紐自体の破れや損傷を防止することができる。
【図面の簡単な説明】
【００２３】
【図１】本願考案に係る防顔面の斜視図である。
【図２】同、背面からみた斜視図である。
【図３】同、本願考案の皮革で形成された係合保持部材の部分を拡大して示す斜視図である。
【図４】従来技術における防顔面の斜視図である。
【図５】同、背面からみた斜視図である。
【図６】同、紐を通す取付孔と紐の通し状態を示す部分拡大断面図である。
【図７】同、耳保護部材の斜視図である。
【考案を実施するための形態】
【００２４】
次に、本考案に係る防顔面の実施形態について、図面を参照して説明する。
【００２５】
本考案に係る防顔面は、図４乃至図７を参照にして説明した従来技術のものと略同じであり、唯一相違するのは、取付孔に挿通する紐を直接通すのではなく、皮革で形成された係合保持部材を取付孔に取り付け、その係合保持部材に紐を挿通させるようにした点で相違する。
その他の点は、本願考案と同じであるため、同じものには同一符号を付与して説明する。
【００２６】
本願発明の防顔面１は、図１乃至図２に示すように、視認可能に顔面を覆うマスク本体２と、マスク本体２を頭部に取付けるための頭部取付け部材５と、マスク本体２の左右に両端が連結された顎掛け部材６とから構成されている。
【００２７】
マスク本体２は、例えば合成樹脂製のもので、人間の顔面に対応する形状に形成されていて、目と鼻に相当する箇所に開口２ａ、２ｂが設けられている。また、マスク本体２の上部と左右の上下との５箇所に取付孔２ｃ、２ｄ、２ｅ、２ｆ、２ｇが形成されている。
取付孔２ｃは上部中央に、取付孔２ｄは左上部に、取付孔２ｅは左下部に、取付孔２ｆは右上部に、取付孔２ｇは右下部に形成されており、実施例においては左右下部の取付孔２ｅ、２ｇに皮革部材で形成された係合保持部材を取付けた構造となっている。
【００２８】
また、マスク本体２の背面には、目の位置に相当する箇所の開口２ａの上側、鼻の位置に相当する箇所の開口２ｂの下側には、例えば軟質のパッド２ｈ、２ｉが貼着されている。
尚、左側とはマスク本体２の背面側からみた状態で左側の方向をいい、右側とはマスク本体２の背面側からみた状態で右側をいう。
【００２９】
頭部取付け部材５は、マスク本体２の上部に一端が取付けられた頭部上部を通る上部紐部材３と、マスク本体２の左右に両端が取付けられた頭部後方を通る後方紐部材４とが、頭部後方で連結された構成となっている。
【００３０】
後方紐部材４は、上下２本の紐４ａ、４ｂを有し、上側の紐４ａの両端は上側の取付孔２ｄと取付孔２ｆに連結され、下側の紐４ｂの一方の端部は下側の取付孔２ｅに取付けた係合保持部材２１ａに取り付けられ、他方の端部は取付孔２ｇに取付けた係合保持部材２１ｂに取付けられている。
【００３１】
係合保持部材２１ａ、２１ｂは、皮革で形成され、取付孔２ｅ、２ｇに挿通させて面同士を重ねて端縁を縫合した構成となっている。縫合した端縁の近傍位置に設けた紐挿通孔２２ａ、２２ｂに紐４ｂを通すことで直接取付孔２ｅ、２ｇに紐４ｂを挿通することがないため、硬質の部材（マスク本体２）に設けた取付孔２ｅ、２ｇに存在するエッジに接触することが回避できるため、エッジによる破損や破れ或いは切断といった弊害を避けることができる。
【００３２】
上側の紐４ａの両側はそれぞれ、マスク本体２の背面側の内側から外側へ向けて取付孔２ｄ、２ｆに通され、通り抜けた部分を後ろ側に折り返して紐４ａの途中部分と対向するように重ね、相互に対向する部分の内面両側に設けた面ファスナー１０の係止部と被係止部とを係止させることで、マスク本体２に連結される。
【００３３】
下側の紐４ｂの一方の端部は、上述したように、マスク本体２の取付孔２ｅに取付けられた係合保持部材２１ａの紐挿通孔２２ａに通され、紐挿通孔２２ａを通り抜けた部分を後ろ側に折り返して紐４ｂの途中部分と対向するように重ね、相互に対向する部分の内面両側に設けた面ファスナー１１の係止部と被係止部とを係止させることで、マスク本体２に連結される。
【００３４】
下側の紐４ｂの他方の端部は、マスク本体２の取付孔２ｇに取付けた係合保持部材２１ｂの紐挿通孔２２ｂから外側に突出させて折り返した端部の外面に面ファスナー１２の係止部及び被係止部とを係止させることで、マスク本体２に連結される。
【００３５】
上側の紐４ａと下側の紐４ｂには、これらを一定距離に保持する頭部後方保護部材２０と右耳保護部材２１と左耳保護部材２２とが取り付けられている。これら、頭部後方保護部材２０、右耳保護部材２１、左耳保護部材２２については、図７を参照して従来技術で説明したものと同じであるため、その説明は省略する。
【００３６】
マスク本体２の上部に形成した取付孔２ｃには、上部紐部材３の一端が連結され、その他端は頭部後方保護部材２０の両シート２０ａの間に縫製されて固定されている。上部紐部材３の一連の連結状態は、マスク本体２の背面側の内側から外側へ向けて取付孔２ｃに通され、通り抜け部分を後側に折り返して上部紐部材３の途中部分と対向するように重ね、相互に対向する部分の内面両側に設けた面ファスナー１４の係止部と被係止部とを係止させるようになっている。
【００３７】
顎掛け紐部材６の左端側の紐６ａは、図２及び図３に示すように、マスク本体２の取付孔２ｅに取付けた係合保持部材２１ａの折り返し部２３ａに通り抜け部分を後ろ側に折り返して、面ファスナーの係止部及び被係止部とを係止させる。
【００３８】
顎掛け紐部材６の右端側の紐６ｂは、図２に示すように、マスク本体２の取付孔２ｇに取付けた係合保持部材２１ｂの折り返し部２３ｂに通り抜け部分を後ろ側に折り返して、面ファスナーの係止部及び被係止部とを係止させる。
【００３９】
ここで、実施例においては取付孔２ｅ、２ｇに皮革で形成された係合保持部材２１ａ、２１ｂを取り付けた構成にしたが、これに限定されることなく、他の取付孔２ｃ、２ｄ、２ｆに皮革で形成された係合保持部材を取り付けてもよいことは勿論のことである。
【産業上の利用可能性】
【００４０】
マスク本体に設けてある取付孔に皮革で形成されている係合保持部材を取り付け、この取り付けた係合保持部材に紐を挿通させるようにしたことで、取付孔のエッジに直接紐があたることがなくなり、その分紐自体の破れや損傷を防止することができる防顔面を提供する。
【符号の説明】
【００４１】
１      防顔面
２      マスク本体
２ａ    開口
２ｂ    開口
２ｃ    取付孔
２ｄ    取付孔
２ｅ    取付孔
２ｆ    取付孔
２ｇ    取付孔
３      上部紐部材
４      後方紐部材
５      頭部取付け部材
６      顎掛け紐部材
６ａ    左端
６ｂ    右端
７      保護部材
１０    面ファスナー
１２    面ファスナー
１３    面ファスナー
２１ａ  係合保護部材
２１ｂ  係合保護部材
２２ａ  紐挿通孔
２２ｂ  紐挿通孔
２３ａ  折り返し部
２３ｂ  折り返し部
【図１】
0003152604.tif 000003
【図２】
0003152604.tif 000004
【図３】
0003152604.tif 000005
【図４】
0003152604.tif 000006
【図５】
0003152604.tif 000007
【図６】
0003152604.tif 000008
【図７】
0003152604.tif 000009